(57)【要約】      （修正有）【課題】紙およびデジタルの新聞、雑誌、本、辞書、ＰＲ・販促ツール、媒体において、取材元の情報を正しく発信する。【解決手段】記事、写真、動画、イラストなどの情報・コンテンツを低コスト、低労力で入手でき、またリアルタイムな情報更新が可能なオンラインのソーシャルコミュニケーションのメディア、コンテンツ、ツールを、同時かつ一覧的、そしてテーマやジャンル、カテゴリー、キーワードなどの関係性を考慮し利用・配置することで閲覧性の高さ、情報取得の容易さを実現する。さらに、制作、運用、流通等のコスト削減につながり、また環境に配慮した、多くの人々が低コスト・低労力で参入可能な、無償・有償・一部有償・オープン・クローズド・一部クローズドのウェブサイト、およびＰＣ・モバイル・タブレットのアプリ・ソフトウェアにおけるデジタル新聞、雑誌、本、ＰＲ・販促ツール、媒体を構築、制作、運用する。【選択図】なし【特許請求の範囲】
【請求項１】
オンラインのソーシャルコミュニケーションのメディア、コンテンツ、ツールによって発信され、世の中に散在している様々な情報・コンテンツを、あるルールや意図に基づいて収集・編集することで、新たな価値を生み出すこと。具体的には、記事、写真、動画、イラストなどの情報・コンテンツを低コスト、低労力で入手でき、またリアルタイムな情報更新が可能なソーシャルコミュニケーションのメディア、コンテンツ、ツールを、同時かつ一覧的、そしてテーマやジャンル、カテゴリー、キーワードなどの関係性を考慮し配置・利用することで、１）閲覧性の高さ、情報取得の容易さを実現し、２）制作、運用、流通等のコスト削減につながり、３）環境に配慮した、４）多くの人々が低コスト・低労力で参入可能な、一般向けウェブサイト、また課金性、一部課金性、クローズド・一部クローズドのウェブサイト、有料、無料のアプリやソフトウェアにおけるデジタルの新聞、雑誌、本、辞書、ＰＲ・販促ツール、媒体の制作、構築方法、考え方、ビジネスモデル。
【請求項２】
［請求事項１］における、配置・利用するソーシャルコミュニケーションのメディア、コンテンツ、ツールについて、それらに発信したい、または発信すべき情報のテーマ、カテゴリー、ジャンル、キーワードで検索、またはフィルタリングをかける。
【請求項３】
［請求項１］と［請求項２］に基づいて制作、構築、運用されているメディア、コンテンツなどを利用して広告事業および課金性の閲覧、参加型事業、アプリ・ソフトウェア販売事業を行う。また、商品のＰＲ・販促ツール・媒体を制作、運営する。またＩＤやパスワード等で閲覧や利用に制限を加えるという行為。
【請求項４】
［請求項１］と［請求項２］と［請求項３］に基づいて制作、構築、運用されているメディア、コンテンツなどに、運用者、制作者、管理者が利用するブログや掲示板などの書き込みシステム、また写真、動画、イラストなどを表示するスペースを設置する。
【請求項５】
［請求項１］と［請求項２］と［請求項３］と［請求項４］に基づいて制作、構築、運用されているメディア、コンテンツなどは、ユーザー利便性を考慮した際、複数階層または複数ページになる。
【請求項６】
［請求項１］と［請求項２］と［請求項３］と［請求項４］と［請求項５］に基づいて制作、構築、運用されているメディア、コンテンツなどは、あらゆる言語に適応・対応する。
【発明の詳細な説明】
【技術分野】
【０００１】  本発明はソーシャルコミュニケーションのメディア、コンテンツ、ツールを用いたデジタルの新聞、雑誌、本、辞書、ＰＲ・販促ツール、媒体に関するものである。
【背景技術】
【０００２】  従来のデジタルの新聞、雑誌、本、辞書、ＰＲ・販促ツール、媒体は社員またはフリーランスの記者、作家、編集者、イラストレイター、カメラマン、デザイナー等が作成したコンテンツ、または投稿・閲覧コンテンツを主体として、一部のみオンラインのソーシャルコミュニケーションのメディア、コンテンツ、ツールで構成されている。一方、現時点では、複数で多数のソーシャルコミュニケーションのメディア、コンテンツ、ツールを組み合わせ、集合体とすることで、デジタルの新聞、雑誌等々を制作・構築し、運用している個人や法人、およびそのような社気的概念は存在しないと思われる。
【先行技術文献】
【発明の概要】
【発明が解決しようとする課題】
【０００３】  従来の紙およびデジタルの新聞、雑誌、本、辞書、ＰＲ・販促ツール、媒体においては、コンテンツ制作およびパブリッシングにおいて相応の労力、コストが費やされていた。【０００４】  従来の紙およびデジタルの新聞、雑誌・本・販促ツール・媒体においては、制作・編集時に情報が取捨選択・加工されるため、取材元の情報が正しく、また全て発信されないことがある。【０００５】  紙の新聞、雑誌、本、ＰＲ・販促ツール、媒体の場合、紙幅やデザインの都合上、不特定多数の人々の意見や主張を取り込み、発信することが難しい。【０００６】  従来の紙の新聞、雑誌、本、ＰＲ・販促ツール、媒体は返品、期限切れなどで破棄されることもあり、それは資源の無駄使いにつながっている。【０００７】  従来の紙の新聞、雑誌、本、辞書、ＰＲ・販促ツール、媒体は情報の更新に時間と労力とコストがかかる。また、紙のコンテンツをデジタルに流用、応用するデジタル新聞、雑誌、本、辞書、ＰＲ・販促ツール、媒体の場合も同様の問題が発生する。
【課題を解決するための手段】
【０００８】  本発明の概要を簡潔に述べると、複数のソーシャルメディアを組み合わせ、集合体とすることで、大きなソーシャルメディアを構築することである。新聞、雑誌、本、辞書、ＰＲ・販促ツール、媒体の特徴のひとつとして、閲覧性の高さ、情報がカテゴライズされていることによる情報取得の容易さがある。その特徴を損なわないために、複数のオンラインのソーシャルコミュニケーションのメディア、コンテンツ、ツールを、不特定多数の人が閲覧できるオープンなウェブサイト、クローズド・一部クローズド・課金性・一部課金性のウェブサイト、有料・無料のＰＣ・モバイル・タブレット用アプリやソフトウェアに同時かつ一覧的に配置・利用する。その際、ユーザーの利便性を考慮し、テーマ、カテゴリー、ジャンル、キーワードなどによってグループ分けする。場合によっては複数ページ、複数階層に分ける。【０００９】  配置・利用するソーシャルコミュニケーションのメディア、コンテンツ、ツールに、発信したい、または発信すべき情報のテーマ、カテゴリー、ジャンル、キーワードなどで検索、またはフィルタリングをかける。そうすることで、発信したい、または発信すべき文字、写真、動画、イラストなどの情報がそこに表れる。それを記事、写真、動画、イラストなどのコンテンツとみなす。
【発明の効果】
【００１０】  ［０００８］と［０００９］の考えに基づくメディア、コンテンツ、アプリ、ソフトウェア、各種ツールにソーシャルコミュニケーションのメディア、コンテンツ、ツールを同時かつ一覧的、またテーマやジャンル、カテゴリー、キーワードなどの関係性を考慮した配置・利用することで、紙の新聞、雑誌、本、辞書、ＰＲ・販促ツール、媒体の特徴のひとつである、閲覧性の高さ、情報がカテゴライズされることによる情報取得の容易さを損なわない。【００１１】  ［０００８］と［０００９］の考えに基づくメディア、コンテンツ、アプリ、ソフトウェア、各種ツールにソーシャルコミュニケーションのメディア、コンテンツ、ツールを用いることで、記事、写真、動画、イラストなどの情報、コンテンツが低コスト、低労力で取得できるので、制作コストと労力の削減につながり、またリアルタイムな情報更新が可能となる。【００１２】  ［０００８］と［０００９］の考えに基づくメディア、コンテンツ、アプリ、ソフトウェア、各種ツール上のソーシャルコミュニケーションのメディア、コンテンツ、ツールに表現される情報、コンテンツは、加工、編集されることなくオリジナルのまま表現される。また、その情報、コンテンツは一部の場合を除き削除されることはなく、不特定多数の人の意見、情報がそのまま発信される。【００１３】  印刷、用紙、流通コストの削減に貢献し、環境へ配慮したデジタルの新聞、雑誌、本、辞書などのデジタルのメディア、コンテンツおよびデジタルのＰＲ・販促ツール、媒体などの制作ができる。【００１４】  このスキームは低コスト、低労力でデジタルの新聞、雑誌、本、辞書などのデジタルのメディア、コンテンツ、またデジタルのＰＲ・販促ツール、媒体などの制作および事業を行うことができ、このようなのビジネスへの参入が容易になる。
【図面の簡単な説明】
【００１５】
【図１】本発明の概要・イメージコンセプト案１
【図２】本発明の概要・イメージコンセプト案２
【発明を実施するための形態】
【実施例】
【００１６】  各種ウェブサイト、アプリ、ソフトウェア、各種ツール上に、ソーシャルコミュニケーションのメディア、コンテンツ、ツールを適材適所配置する。
【産業上の利用可能性】
【００１７】  ［０００８］と［０００９］の考えに基づくメディア、コンテンツ、アプリ、ソフトウェア、各種ツールを利用して広告事業、課金制の閲覧・参加型事業、アプリ・ソフトウェア販売事業などが可能。また商品やサービスのＰＲ・販促ツール、媒体として利用可能。
【符号の説明】
【図１】
2013084230.tif 000002
【図２】
2013084230.tif 000003